(57)【要約】【課題】ターレット型巻取機による巻取りにおいて、ターレット旋回中、第２のタッチローラを巻取軸とタッチローラの接当する位置を変化させず、常に圧接せしめるようにして巻取品質の向上をはかる。【解決手段】多軸ターレット型巻取機において、ターレット盤１の上流側巻取軸４の上部に第１のタッチローラ３を接当し、巻取軸４の下部に第２のタッチローラ５を接当して巻取軸４によりウエブを巻取るにあたり、前記第１のタッチローラ３はターレット外フレームより回動可能に支持する一方、第２のタッチローラ５はターレット内に設けた支持レール１０上にスライド可能に取り付けてターレット旋回中においても常に巻取軸４に接当が可能であるようになした。【選択図】    図１
2008087902.tif 000002
【特許請求の範囲】
【請求項１】
多軸ターレット型巻取機において、ターレット盤の上流側巻取軸の上部に第１のタッチローラを接当し、巻取軸の下部に第２のタッチローラを接当して巻取軸によりウエブを巻取ると共に、前記第１のタッチローラはターレット外フレームより回動可能に支持する一方、第２のタッチローラはターレット盤内に設けた支持レール上にスライド可能に取り付けて、ターレット旋回中においても常に巻取軸に接当可能になしたことを特徴とするターレット型巻取機におけるターレット内タッチローラ装置。
【請求項２】
第２のタッチローラを並設した２本のローラで形成し、巻取軸上部の１本のタッチローラに対し２本のローラで巻取軸を受け、巻取軸芯を安定的に保持せしめるようにした請求項１記載のターレット型巻取機におけるタッチローラ装置。
【発明の詳細な説明】
【技術分野】
【０００１】
本発明は主として多軸ターレット型巻取機におけるターレット内タッチローラ装置に関するものである。
【背景技術】
【０００２】
従来、多軸ターレット型巻取機においては巻取軸に巻かれるウエブ等に対し巻取軸をモータ等により回転させてウエブに張力を与え、巻取ロールとして巻取るが、この場合、巻取ロールには巻取ロールの外周面と、巻取ロールに進入するウエブとの間に空気が巻き込まれるので、この空気のかみ込みを防止し、巻き込まれる空気量を調整するためにタッチローラを巻取ロールの表面でウエブが進入する位置に設け、タッチローラの巻取ロールに接する圧力を調整することが行なわれている。
【０００３】
図３は上記タッチローラを設けた従来方式のターレット型巻取機の１例であり、ターレット盤１の上流側巻取軸４の上部に第１のタッチローラ３がターレット盤外のターレットフレーム（図示せず）に回動中心６を有するアーム７により巻取軸４に接離するように回動可能に支持されており、送られてくるシートＳをガイドローラ２を経て第１のタッチローラ３の圧接下に巻取軸４に巻取ロールＲとして巻取り、満巻後、第１のタッチローラ３の圧接を解放して巻取軸４を矢示するターレット旋回方向に回動するようになっている。
【０００４】
しかし、この装置においては、巻取軸４は第１のタッチローラ３より離れるため、ターレット旋回中はターレット外に支持された第２のタッチローラ５が圧接し、巻取ロールＲの巻ずれ防止及び空気の巻き込みを防止する方法が従来から実施されている。
【０００５】
図４，図５はかかる第２のタッチローラを設けたターレット型巻取機の１例で、ターレット外に支持された第２のタッチローラ５のターレット旋回前と旋回後の圧接状態を示している。
【０００６】
この装置の第２のタッチローラ５はターレット旋回中のみ、ターレットの旋回に合わせて追従するため、第１のタッチローラ３に対向する位置に設けることはできず、巻取軸４が細い場合又は圧接力が大きい場合、巻取軸が曲がり、品質良く巻くことが出来ない。
【０００７】
一方、図６は同じくターレット外に支持された第２のタッチローラ５を示し、このタッチローラ５はターレット外に支持され、巻取軸４に下部より圧接し、第１のタッチローラ３に対向しているが、ターレット外に昇降中心８を有するアーム９により支持されているため、ターレット旋回開始後、巻取軸４のターレット旋回に安定した追従が出来ず、旋回中の巻取軸４より離脱するという問題を有している。
【特許文献１】特公平０６−００１５００号公報の記載
【発明の開示】
【発明が解決しようとする課題】
【０００８】
本発明は上述の如き従来のタッチローラ装置の諸問題点に着目し、特にターレット内タッチローラの支持スライドレールをターレット盤に設けることを見出すことにより、第１のタッチローラと第２のタッチローラが圧接に対向し、なおかつターレット旋回中は第１のタッチローラは離脱するが、第２のタッチローラは常に圧接しているようにしてタッチローラ型巻取機におけるウエブの巻取品質を良好ならしめることを目的とするものである。
【課題を解決するための手段】
【０００９】
即ち、上記目的に適合する本発明は、多軸ターレット型巻取機においてターレット盤の上流側巻取軸の上部に第１のタッチローラを接当し、巻取軸の下部に第２のタッチローラを接当して巻取軸によりウエブを巻取るにあたり、前記第１のタッチローラはターレット外フレームよりアームを介し回動可能に支持する一方、第２のタッチローラはターレット内に設けられた支持レール上にスライド可能に取り付けられて、ターレット旋回中においても常に巻取軸に接当可能となしたターレット型巻取機におけるターレット内のターレット装置にある。
【００１０】
請求項２の発明は、上記第２のタッチローラを併設した２本のローラで形成し、巻取軸上部の１本のタッチローラに対し巻取軸下部を２本のローラで受け、巻取軸芯を安定的に保持せしめるようにしたことを特徴とする。
【発明の効果】
【００１１】
上記本発明に係るタッチローラ装置を具備する多軸ターレット型巻取機は、第２のタッチローラがターレット盤内に設けられた支持レール上にスライド可能に取り付けられているためターレット旋回中においても巻取軸とタッチローラの接圧位置が変化せず、常に同一位置で圧接することから薄いブラスチックフィルムから厚手のフィルムにまで広く応用できて巻取品質に良い結果が得られ、中でも不織布等の硬く巻く必要がある場合は特に有効である。また、広巾フィルムを巻取る直前にスリットして巻取る場合、常に同一位置で圧接するためターレット旋回中の細巾フィルムを安定させて巻取る上にも有利である。
【発明を実施するための最良の形態】
【００１２】
以下、更に添付図面に基づいて本発明装置の具体的態様を詳述する。
【００１３】
図１は本発明に係るタッチローラ装置のターレット旋回前の状態を示し、図２は同装置のターレット旋回後の状態を示す図であり、これら図において１はターレット盤で、該ターレット盤１の上流側巻取軸４の上部に第１のタッチローラ３が、また巻取軸４の下部に第２のタッチローラ５が、図示例では２本のローラによって形成されて夫々当接状態に取り付けられ、送入されるシートＳがガイドローラ２を経て第１のタッチローラ３の圧接下で巻取軸４により巻取ロールとして巻き取られるようになっている。
【００１４】
そして、上記構成において第１のタッチローラ３は既知の如くターレットフレーム（図示せず）に回動中心６を有するアーム７により回動可能に支持されている一方、本発明では更に２本のローラよりなる第２のタッチローラ５が巻取軸４下部において一体に支持されて巻取軸４を受止するようにターレット内に取り付けられている。
【００１５】
本発明装置は特にこの第２のタッチローラ５の取り付けに特徴を有しており、従来の方式においては、図６に示すようにターレット外に支点８を有して該支点８を回動中心とするアーム９により取り付けられていたが、本発明にあっては第２のタッチローラ５はターレット盤１内に設けられた支持レール１０上にスライド可能に取り付けられ、ターレット旋回中においても常に巻取軸４に接当が可能となっている。そのため、満巻と共に、ターレット盤４が旋回するときは巻取軸４に巻かれた巻取ロールＲ下部に位置していた第２のタッチローラ５は旋回と共に支持レール１０内をスライドして巻取ロールＲと一緒に旋回し、旋回後においては巻取ロールＲの上部に位置が変更する。しかし、この第２のタッチローラ５は巻取ロール上部に位置するとしてもターレット盤１に固定された支持レール１０により摺動保持されて常時、巻取ロールＲ外周に圧接されている。従って、この間、巻取軸４と第２のタッチローラ５の接当状態は変わらず、空気層を巻き込むこともなく、適切な巻き硬さを得ることができる。
【００１６】
かくして、送入されてくるシートＳが上部より第１のタッチローラ３，下部より第２のタッチローラ５で受止されて巻取りが続けられ、巻取ロールＲが満巻に達してターレット盤１を既知の旋回駆動装置（図示せず）により旋回させると、第１のタッチローラ３はターレット外フレームに支着された回動アーム７により巻取ロールＲより離脱し、一方、第２のタッチローラ５はターレット盤１内に設けられた支持レール１０上をスライドしてターレット盤１と共に旋回回動し、巻取ロールＲと第２のタッチローラ５の接当を変えることなく満巻巻取ロールＲの上部側に位置を変えて満巻巻取ロールＲと上流側の巻取軸４との間にシートＳが張設され、これをカッター１１により切断すると、新たな巻取軸芯にシート切断端が巻着する一方、満巻巻取ロールは既知のようにターレット盤外への放出に移行することになる。
【００１７】
なお、ターレット盤内の第２のタッチローラ５は図示の如く２本のローラの並列とすることにより、巻取軸の上部の１本のタッチローラに対し、受け側の２本のタッチローラにより巻取軸の軸芯はより安定されて好結果を得ることができる。しかし、必らずしも２本のロールに限られないことは云うまでもない。
【００１８】
以上のようにして、本発明ターレット装置は、薄いプラスチックフィルムから厚手のフィルムのまで幅広く応用することができると共に、不織布等の硬く巻く必要のある場合にも有効に使用することができ、また広巾フィルムを巻取る直前にスリットして巻取る場合にもターレット旋回中の細巾フィルムを安定して巻取ることができる。
【図面の簡単な説明】
【００１９】
【図１】ターレット旋回前の本発明装置の側面概要図である。
【図２】ターレット盤旋回後の本発明装置の側面概要図である。
【図３】従来のターレット巻取機のタッチローラ装置の１例を示す側面概要図である。
【図４】従来のターレット巻取機のタッチローラ装置の他の例を示すターレット旋回前の側面概要図である。
【図５】上記図４装置のターレット旋回後の側面概要図である。
【図６】従来のターレット巻取機におけるタッチローラ装置の更に他の例を示す側面概要図である。
【符号の説明】
【００２０】
１：ターレット盤
２：ガイドローラ
３：第１のタッチローラ
４：巻取軸
５：第２のタッチローラ
６：支点
７：アーム
８：支点（回動又は昇降中心）
９：アーム
１０：支持レール
１１：カッター
【図１】
2008087902.tif 000003
【図２】
2008087902.tif 000004
【図３】
2008087902.tif 000005
【図４】
2008087902.tif 000006
【図５】
2008087902.tif 000007
【図６】
2008087902.tif 000008